【手続補正書】
【提出日】平成19年7月17日(2007.7.17)
【手続補正１】
【補正対象書類名】明細書
【補正対象項目名】特許請求の範囲
【補正方法】変更
【補正の内容】
【特許請求の範囲】
【請求項１】  画像情報を表示できる表示装置を備えた移動端末機と、
前記移動端末機の発信呼及び着信呼を処理し、前記移動端末機に画像情報を伝送できるように無線チャネルを準備している基地局と、
前記基地局から出力される発信呼及び着信呼を処理し、前記画像情報を着信側の移動端末機に伝送する移動交換局と、
前記画像情報を格納し、前記移動交換局に前記画像情報を提供する画像サービス制御局と、
使用者登録を受け取り、画像情報サービスを制御する通信事業者オペレーティングセンタと
とで構成されることを特徴とする移動通信網での画像情報提供装置。
【請求項２】  前記画像情報は
使用者の特徴を現すための画像情報であることを特徴とする請求項１記載の画像情報提供装置。
【請求項３】  前記画像情報は
使用者が伝送を所望する画像情報であることを特徴とする請求項１記載の画像情報提供装置。
【請求項４】  前記画像情報は
使用者が前記通信事業者オペレーティングセンタを介して画像サービス制御局に登録する画像情報であることを特徴とする請求項１記載の画像情報提供装置。
【請求項５】  前記画像情報は
前記通信事業者オペレーティングセンタで提供する画像情報であることを特徴とする請求項１記載の画像情報提供装置。
【請求項６】  前記画像サービス制御局は
前記通信事業者オペレーティングセンタまたは前記移動交換局とデータ通信を実行するためのデータ送／受信部と、
前記データ送／受信部の出力信号から特定移動端末機の識別者を検出する発信者識別部と、
前記データ送／受信部から提供される画像情報が格納されるように制御し、かつ格納した画像情報を出力させる制御部と、
前記制御部の制御によって画像情報をデータ送／受信部に提供する発信者情報発生部とで構成されることを特徴とする請求項１記載の画像情報提供装置。
【請求項７】  前記画像サービス制御局は
前記制御部の制御によって各々の移動端末機の識別者をデータベース形態に管理する利用者管理部と、
前記制御部の制御によって画像情報を格納し、かつ格納した特定の画像情報を出力するための画像メモリがさらに構成されることを特徴とする請求項６記載の画像情報提供装置。
【請求項８】  前記画像メモリは
前記制御部の制御によって画像情報を発信者別に区分して格納することを特徴とする請求項７記載の画像情報提供装置。
【請求項９】  前記画像メモリは
前記制御部の制御によって画像情報を前記通信事業者オペレーティングセンタに登録した使用者別に区分して格納することを特徴とする請求項７記載の画像情報提供装置。
【請求項１０】  前記着信側移動端末機は
前記画像情報の受信後、前記表示装置のサイズに合わせて画像情報の大きさを変換して表示することを特徴とする請求項１記載の画像情報提供装置。
【請求項１１】  画像情報及び／又は文字情報を表示できる表示装置と音声情報を出力するスピーカを備えた移動端末機と、
前記移動端末機の発信呼及び着信呼を処理し、前記移動端末機に画像情報、文字情報、または音声情報を選択的に伝送できるように無線チャネルを準備している基地局と、
前記基地局で出力される発信呼及び着信呼を処理し、前記画像情報、文字情報または音声情報の選択的な組合からなる発信者情報を着信側の移動端末機に伝送する移動交換局と、
前記発信者情報を格納し、前記移動交換局にその発信者情報を提供する画像サービス制御局と、そして、
使用者登録を受け取り、前記発信者情報サービスを制御するための通信事業者オペレーティングセンタと
で構成されることを特徴とする移動通信網での発信者情報提供装置。
【請求項１２】  前記画像サービス制御局は
前記通信事業者オペレーティングセンタまたは前記移動交換局とデータ通信を実行するデータ送／受信部と、
前記データ送／受信部の出力信号から特定の移動端末機の識別者を検出する発振側識別者検出部と、
前記データ送／受信部で提供される特定の移動端末機の発信者情報が格納されるように制御し、かつ格納した発信者情報を選択的に出力させる制御部と、
前記制御部の制御により出力される発信者情報を受信して、前記データ送／受信部に提供する発信側情報発生部とで構成されることを特徴とする請求項１１記載の移動通信網での発信者情報提供装置。
【請求項１３】  前記画像サービス制御局は
前記制御部の制御によって各々の移動端末機の識別者をデータベース形態に管理する利用者管理部と、
前記制御部の制御によって画像情報を格納し、かつ格納した特定の画像情報を出力する画像メモリと、
前記制御部の制御によって文字情報を格納し、かつ格納した特定の文字情報を出力する文字メモリと、
前記制御部の制御によって音声情報を格納し、かつ格納した特定の音声情報を出力する音声メモリとをさらに備えることを特徴とする請求項１２記載の移動通信網での発信者情報提供装置。
【請求項１４】  少なくとも一つの移動交換局と多数の移動端末機の使用者に対する画像情報を格納及び管理する、画像サービス制御局を備えた移動通信網で、
前記多数の移動端末機のうち特定の移動端末機が特定の着信側の移動端末機に呼接続を要求するとき、前記移動交換局から前記画像サービス制御局に前記特定の移動通信端末機に対する画像情報の検索及び伝送を要請する段階と、
前記画像サービス制御局から検索結果に対応する画像情報を前記移動交換局へ伝送する段階と、
前記移動交換局から前記特定の移動端末機の呼出信号と共に前記画像情報を前記着信側の移動端末機へ伝送する段階と
を備えることを特徴とする移動通信網での画像情報伝送方法。
【請求項１５】  前記移動端末機の使用者が前記画像情報伝送方法の実行有無を選択する段階がさらに含まれることを特徴とする請求項１４記載の移動通信網での画像情報伝送方法。
【請求項１６】  前記画像情報を着信側の移動端末機に伝送する段階は、呼出チャネルを介して呼出信号と共に伝送することを特徴とする請求項１４記載の移動通信網での画像情報伝送方法。
【請求項１７】  前記移動通信網が主呼出チャネルと予備呼出チャネルとに区分される、少なくとも二つの呼出チャネルを使用し、前記呼出信号は主呼出チャネルを介して伝送され、前記画像情報は予備チャネルを介して伝送されることを特徴とする請求項１６記載の移動通信網での画像情報伝送方法。
【請求項１８】  前記画像情報を着信側の移動端末機に伝送する段階は、通話チャネルを介して通話データと共に伝送することを特徴とする請求項１４記載の移動通信網での画像情報伝送方法。
【請求項１９】  無線通信網から無線チャンネルを介して受信されるデータフレームから発信者識別子を検出し、該発信者識別子に対応する発信者の画像情報を含む発信者識別情報を出力する発信者識別子検出部と、
該発信者識別子検出部から出力される発信者識別情報に対してデータ種類別にデータ処理を行う信号処理部と、
該信号処理部から出力される画像データの貯蔵または出力を制御する制御部と、
前記制御部から出力される前記画像データをディスプレイする表示部と、
を備えることを特徴とする移動端末機。
【請求項２０】  前記制御部から出力される画像データをあらかじめ設定されたサイズに変換する画像サイズ変換部をさらに備えることを特徴とする、請求項１９に記載の移動端末機。
【請求項２１】  前記発信者識別情報は、発信者識別のための文字情報をさらに含み、前記表示部は、前記文字情報を前記画像データと一緒にディスプレイすることを特徴とする、請求項１９に記載の移動端末機。
【請求項２２】  前記発信者識別情報は発信者識別のための音声情報をさらに含み、該音声情報の出力のためのスピーカをさらに備えることを特徴とする、請求項２１に記載の移動端末機。
【請求項２３】  前記無線チャンネルは、呼出しチャンネルであることを特徴とする、請求項１９に記載の移動端末機。
【請求項２４】  前記信号処理部は、
前記画像データのデータ処理を行う画像情報処理部と、
前記文字情報のデータ処理を行う文字情報処理部と、
前記音声情報のデータ処理を行う音声情報処理部と、
を備えることを特徴とする、請求項２２に記載の移動端末機。
【請求項２５】  前記発信者識別子出力部は、前記データフレームに前記移動端末機の識別子が含まれた場合に限って前記発信者識別情報を出力することを特徴とする、請求項１９に記載の移動端末機。